(57)【要約】【課題】  遊技客自身の遊技の結果を反映させた形態で、各々の遊技客に応じた情報を容易に提供することが可能な遊技情報提供方法及びそのシステムを提供する。【解決手段】  遊技客が所持する会員カードに遊技客自身の遊技履歴を記録し、台情報を公開する台情報公開端末では、会員カードに記録されている遊技履歴に基づいて遊技履歴一覧を表示し、任意の遊技履歴が選択されると、遊技店に設けられている管理コンピュータに記録されている台情報を用いて、選択された遊技履歴の遊技を行った日を含む複数の日の台情報を表示する。そして、遊技を行った日の台情報が選択されると、遊技情報に基づいて、会員が遊技を行っていた区間を強調表示するなど、会員の遊技結果を反映させた形態で台情報を表示する。  【選択図】  図１
2005102958.tif 000002
【特許請求の範囲】
【請求項１】
遊技客に遊技台の遊技実績である台情報を提供する遊技情報提供方法において、
遊技店に設けられた台情報記憶手段に前記台情報を記録し、
前記遊技客が所持する記録媒体に遊技履歴を記録し、
前記遊技履歴に基づいて、前記台情報を表示する台情報表示手段に遊技履歴一覧を表示し、
任意の遊技履歴が指定されると、該遊技履歴に基づいて特定される遊技台の台情報を前記台情報記憶手段から取得して前記台情報表示手段に表示する
ことを特徴とする遊技情報提供方法。
【請求項２】
前記記録媒体は、前記遊技客に配布された会員カードである
ことを特徴とする請求項１記載の遊技情報提供方法。
【請求項３】
前記台情報は、前記遊技履歴で指定される遊技を行った日を含む複数の日の台情報を表示する
ことを特徴とする請求項１または２記載の遊技情報提供方法。
【請求項４】
前記台情報表示手段は、前記遊技客が遊技を行った日の台情報が指定されると、指定された日の前記台情報を前記遊技客の遊技結果を反映させた態様で表示する
ことを特徴とする請求項１乃至３記載の遊技情報提供方法。
【請求項５】
遊技客に遊技台の遊技履歴である台情報を提供する遊技情報提供システムにおいて、
前記台情報を記録する台情報記憶手段と、
前記遊技履歴を遊技履歴記憶手段に記録する記録手段と、
前記台情報を表示する台情報表示手段と
を遊技店に設け、
前記記録手段は、前記遊技客が所持する前記遊技履歴記憶手段に前記遊技客の遊技履歴を記録し、
前記台情報表示手段は、
前記遊技履歴に基づいて遊技履歴一覧を表示し、
任意の遊技履歴が指定されると、該遊技履歴に基づいて特定される遊技台の台情報を前記台情報記憶手段から取得して表示する
ことを特徴とする遊技情報提供システム。
【請求項６】
前記台情報表示手段は、前記遊技客が遊技を行った日の台情報が指定されると、指定された日の前記台情報を前記遊技客の遊技結果を反映させた態様で表示する
ことを特徴とする請求項４記載の遊技情報提供システム。
【発明の詳細な説明】
【技術分野】
【０００１】
本発明は、遊技情報提供方法及びそのシステムに関し、特に、個々の遊技客に応じた情報を容易に提供することが可能な遊技情報提供方法及びそのシステムに関する。
【背景技術】
【０００２】
パチンコ店などの遊技店では、住所や氏名などの情報を登録した遊技客に対して、会員カードなど、情報を記録することが可能な媒体を配布し、遊技後に景品への交換等を行わずに残った玉を遊技店に預ける貯玉などのサービスが提供されている。
【０００３】
そして、このようなサービスの一つとして、遊技客が遊技を行った日時や遊技台の番号、遊技客独自の情報（例えば、攻略のポイントなど）などを会員カード（記録媒体）に記録し、カード端末機などで会員カードに記録されている情報を閲覧可能とするサービスが提案されている（例えば、特許文献１参照）。
【０００４】
また、遊技客に提供する情報として、遊技台の出玉数や大当たりの回数などといった遊技履歴のみならず、天気予報やニュース、競馬情報などの情報をリアルタイムで提供するサービスも提案されている（例えば、特許文献２参照）。
【０００５】
さらに、遊技客に提供する情報には、それぞれ異なった価値があり、大きな付加価値を有する情報もある。そこで、情報を例えば、一般用情報、会員用無償情報、会員用有償情報に区別し、貯玉数に応じて利用可能な情報を制限したり、貯玉と交換で情報を提供するサービスも提案されている（例えば、特許文献３参照）。
【特許文献１】特開平７−２３６７６０号公報
【特許文献２】特開平１０−２３４９９６号公報
【特許文献３】特開平７−２７５４７９号公報
【発明の開示】
【発明が解決しようとする課題】
【０００６】
しかし、これらのサービスでは、いつ、どの遊技台で遊技を行った際に、どれだけの出玉が得られたかなどを知ることは可能であるが、遊技客自身が遊技を行った遊技台の、遊技を行った日やその前後の日の情報を容易に得ることはできなかった。
【０００７】
また、遊技客自身が遊技を行った日と、遊技を行った遊技台の台番号とをメモなどにとって記憶し、台情報を公開する台情報公開端末を操作することにより、遊技を行った日のその遊技台における出玉の推移などを知ることは可能であるが、遊技客自身が遊技を行っていた間の出玉の推移など、遊技客自身が遊技を行った際の情報を反映させて表示させることはできなかった。
【０００８】
そこで、本発明では、遊技客自身の遊技の結果を反映させた形態で、各々の遊技客に応じた情報を容易に提供することが可能な遊技情報提供方法及びそのシステムを提供することを目的とする。
【課題を解決するための手段】
【０００９】
本発明における遊技情報提供方法では、遊技客に遊技台の遊技実績である台情報を提供する遊技情報提供方法において、遊技店に設けられた台情報記憶手段に台情報を記録し、遊技客が所持する記録媒体に遊技履歴を記録し、遊技履歴に基づいて、台情報を表示する台情報表示手段に遊技履歴一覧を表示し、任意の遊技履歴が指定されると、該遊技履歴に基づいて特定される遊技台の台情報を台情報記憶手段から取得して台情報表示手段に表示する。
【００１０】
また、記録媒体は、遊技客に配布された会員カードである。
【００１１】
そして、台情報は、遊技履歴で指定される遊技を行った日を含む複数の日の台情報を表示する。
【００１２】
ここで、台情報表示手段は、遊技客が遊技を行った日の台情報が指定されると、指定された日の台情報を遊技客の遊技結果を反映させた態様で表示する。
【００１３】
次に、本発明における遊技情報提供システムでは、遊技客に遊技台の遊技履歴である台情報を提供する遊技情報提供システムにおいて、台情報を記録する台情報記憶手段と、遊技履歴を遊技履歴記憶手段に記録する記録手段と、台情報を表示する台情報表示手段とを遊技店に設け、記録手段は、遊技客が所持する遊技履歴記憶手段に遊技客の遊技履歴を記録し、台情報表示手段は、遊技履歴に基づいて遊技履歴一覧を表示し、任意の遊技履歴が指定されると、該遊技履歴に基づいて特定される遊技台の台情報を台情報記憶手段から取得して表示する。
【００１４】
また、台情報表示手段は、遊技客が遊技を行った日の台情報が指定されると、指定された日の台情報を遊技客の遊技結果を反映させた態様で表示する。
【発明の効果】
【００１５】
本発明では、情報の提供を求める遊技客の簡単な操作により、遊技客自身が遊技を行った遊技台のその遊技を行った日を含む複数の日の情報を容易に提供することができる。
【００１６】
また、遊技客自身の遊技に伴う出玉の推移を強調表示するなど、情報の提供を求める遊技客の遊技の結果を反映させた形態で情報を提供することができる。
【発明を実施するための最良の形態】
【００１７】
以下、本発明に係る遊技情報提供方法及びそのシステムを実施するための最良の形態について、添付図面を参照して詳細に説明する。
【００１８】
図１は、本発明に係る遊技情報提供システムの構成の一例を示す概略ブロック図である。
【００１９】
本実施の形態における遊技情報提供システムには、図１に示すように、ホールコンピュータ１０、会員管理コンピュータ２０、台情報公開端末３０、島コンピュータ４０が設けられ、ネットワーク中継機（ＨＵＢ）５０を介して接続している。
【００２０】
また、島コンピュータ４０は、ホール（店舗）を複数の領域に分割した島毎に設けられており、その島に設けられている台間玉貸機６０、及び遊技台７０と接続している。
【００２１】
ここで、図２は、本実施の形態におけるホールコンピュータ１０の構成を示す概略ブロック図である。
【００２２】
図２に示すように、ホールコンピュータ１０には、遊技台や台間玉貸機などの稼動状況を示す情報や玉補給に関する情報など、遊技台等の管理を行うために必要な管理情報を記録する記憶部１１、ディスプレイなどの表示部１２、管理情報などを送受信する通信インターフェイス（Ｉ／Ｆ）１３、キーボードなどの操作部１４、ホールコンピュータにおける各種処理を行う演算処理部１５が設けられている。
【００２３】
そして、ホールコンピュータは、稼動状況（アウト、セーフ、差引数、特賞回数、始動数など）や玉の補給状況など、遊技台などから定期的に送信される管理情報を受信し、記憶部に記録する。また、管理情報に基づいて必要な制御を行うと共に、これらの情報に異常が発見されると表示部に表示して警告を発するなどの管理を行う。
【００２４】
図３は、本実施の形態における会員管理コンピュータ２０の構成を示す概略ブロック図である。
【００２５】
図３(ａ)に示すように、会員管理コンピュータ２０には、会員情報を管理する会員データベース及び台情報を管理する遊技台データベースを有する記憶部２１、ディスプレイなどの表示部２２、会員情報や台情報などを送受信する通信インターフェイス（Ｉ／Ｆ）２３、キーボードなどの操作部２４、会員管理コンピュータにおける各種処理を行う演算処理部２５が設けられている。
【００２６】
ここで、会員データベースには、図３(ｂ)に示すように、会員の会員番号、氏名、住所、性別などの会員情報と共に、遊技年月日、遊技台番号、遊技機種名、遊技開始時間、遊技終了時間などの遊技履歴が会員毎に記録され、また、遊技台データベースには、台番号、機種名などの情報と共に、大当たり情報、始動情報、確変情報、打込情報、払出情報などの遊技実績が遊技台毎に記録される。
【００２７】
そして、会員管理コンピュータは、これらの情報を記憶部に記録して管理すると共に、台情報公開端末や台間玉貸機、台カードリーダなどの要求に応じて、記憶部に記録している情報の中から適切な情報を提供する。
【００２８】
図４は、本実施の形態における台情報公開端末３０の構成を示す概略ブロック図である。
【００２９】
図４に示すように、台情報公開端末３０には、会員管理コンピュータや会員カードなどから受信した情報を一時的に記録する記憶部３１、タッチパネル式ディスプレイなどの表示部３２、会員管理コンピュータなどと情報の送受信を行う通信インターフェイス（Ｉ／Ｆ）３３、テンキーや押しボタンなどの操作部３４、カード挿入口３５−１から挿入された会員カード８０に記録されている情報の読み取りや書き込みを行うカードリーダ・ライタ（Ｒ／Ｗ）３５−２、各種情報を印刷出力するプリンタ３６、台情報公開端末の制御を行う制御部３７が設けられている。
【００３０】
そして、台情報公開端末は、カードＲ／Ｗに会員カードが挿入されると、会員カードに記録されている遊技履歴と会員管理コンピュータに記録されている台情報とから、会員の遊技結果が反映された形態で台情報を表示部に表示する。
【００３１】
図５は、本実施の形態における台間玉貸機６０の構成を示す概略ブロック図である。
【００３２】
図５に示すように、台間玉貸機６０には、カード挿入口６１−１から挿入された会員カード８０に記録されている会員番号などのカード情報の読み取りや、遊技履歴の書き込みを行うカードＲ／Ｗ６１−２、紙幣投入口６２−１から投入された紙幣を認識する紙幣認識部６２−２、硬貨投入口６３−１から投入された硬貨を認識する硬貨認識部６３−２、紙幣投入口６２−１や硬貨投入口６３−１から投入された紙幣や貨幣の額に応じて玉投出口６４−１から玉を投出する玉投出部６４−２、会員カードに記録されている情報を島コンピュータに送信する通信インターフェイス（Ｉ／Ｆ）６５、タッチパネル式ディスプレイなどの表示部６６、テンキーや押しボタンなどの操作部６７、台間玉貸機の制御を行う制御部６８が設けられている。
【００３３】
そして、台間玉貸機は、会員カードが挿入されると、会員カードに記録されている情報を読み取り、読み取った情報を島コンピュータに送信する。また、台間玉貸機は、紙幣や硬貨が投入されると、投入された額を表示部に表示し、操作部からの指示に応じて玉の貸し出しを行うと共に、玉を貸し出した額を売上情報として島コンピュータに送信する。
【００３４】
さて、上記構成において、本発明に係る遊技情報提供システムでは、遊技台で遊技が行われることにより、遊技実績（大当たり情報、始動情報、確変情報、打込情報、払出情報など）は、会員管理コンピュータに送信され、遊技台データベースに記録される。
【００３５】
また、台カードリーダに会員カードを挿入し、遊技台で遊技を行うことにより、図６に一例を示すように、遊技履歴（遊技年月日、遊技台番号、遊技機種名、遊技開始時間、遊技終了時間など）を会員カードに記録する。
【００３６】
そして、台情報公開端末に会員カードが挿入されると、会員カードに記録されている遊技履歴に基づいて遊技履歴一覧を表示し、任意の遊技履歴が選択されると、会員の遊技結果を反映させた形態で台情報を表示部に表示する。
【００３７】
ここで、遊技結果を反映させた形態とは、例えば、会員が遊技を行っていた時間帯の線の太さや色などを他の時間帯と異ならせて強調させたグラフを用いて、差玉などの台情報を表示するなど、遊技結果を強調表示させた形態が挙げられる。
【００３８】
次に、本実施の形態における遊技情報提供方法を添付図面を参照して詳細に説明する。
【００３９】
図７は、本実施の形態において会員カードに遊技履歴を記録する際の流れを示すフローチャートである。
【００４０】
まず、遊技を開始する際に、会員が遊技を行う遊技台の台間玉貸機６０に会員カードを挿入する（ステップ１００)と、台間玉貸機６０は、会員カードに記録されている会員番号などのカード情報を読み取り（ステップ１０１）、カード情報を会員管理コンピュータ２０に送信する（ステップ１０２）。
【００４１】
そして、会員カードを取り出すためのボタンを押されるなど、遊技終了を検知する（ステップ１０３）と、会員管理コンピュータ２０に遊技の終了を通知する遊技終了通知を送信する（ステップ１０４）。
【００４２】
会員管理コンピュータ２０は、遊技年月日、遊技台番号、遊技機種名、遊技開始時間、遊技終了時間を遊技履歴として台間玉貸機２０に送信し（ステップ１０５）、台間玉貸機６０は、会員カードに遊技履歴の書き込みを行い（ステップ１０６）、遊技履歴を書き込んだ後、会員カードを排出する（ステップ１０７）。
【００４３】
なお、本実施の形態では、遊技履歴として、遊技年月日、遊技台番号、遊技機種名、遊技開始時間、遊技終了時間を用いているが、遊技履歴はこれらに限られるものではなく、少なくとも、遊技台の台番号と遊技年月日を遊技履歴として用いればよく、さらに、遊技開始時間及び遊技終了時間、遊技開始からの経過時間など、遊技台で遊技を行っていた時間を特定可能な遊技時間情報を遊技履歴として用いることが好ましい。
【００４４】
さらに、遊技履歴の書き込みは、会員カードが挿入された際に、遊技年月日、遊技台番号、遊技開始時間の書き込みを行い、遊技終了を検知した際に、遊技終了時間の書き込みを行うなど、遊技履歴の項目に応じて異なるタイミングで書き込みを行ってもよい。
【００４５】
本実施の形態では、貯玉及び現金を用いて玉の貸出を行う台間玉貸機に設けられた会員カードのカードＲ／Ｗを用いて会員カードに会員情報の読み取りや遊技履歴の書き込みを行っているが、貯玉及びプリペイドカードを用いて玉の貸出を行う台間玉貸機を用いてもよい。
【００４６】
また、プリペードカードや現金を用いて玉の貸出を行うＣＲユニットの近傍に設けられ、会員カードの読み取りや書き込みのみを行う（貯玉を用いた玉の貸出を行わない)カードリーダを用いてもよい。
【００４７】
図８及び図９は、本実施の形態において台情報を公開する際の流れを示すフローチャートである。
【００４８】
まず、台情報公開端末３０に会員カードが挿入される（ステップ２００）と、会員カードに記録されている会員番号などのカード情報を読み取り（ステップ２０１）、会員カードを排出する（ステップ２０２）。
【００４９】
そして、表示部にメニュー表示画面（図１０(ａ)参照）を表示し(ステップ２０３)、遊技履歴一覧が選択される（ステップ２０４）と、会員カードに記録されている遊技履歴に基づいて遊技履歴一覧を作成し、選択可能な状態（例えば、選択ボタンのような形で表示するなど）で表示部に遊技履歴一覧（図１０(ｂ)参照）を表示する(ステップ２０５)。
【００５０】
ここで、特定の遊技履歴が選択される（ステップ２０６）と、遊技履歴が選択された遊技台の台情報を会員管理コンピュータ２０に要求し（ステップ２０７）、会員管理コンピュータ２０は、台情報を検索する（ステップ２０８）。
【００５１】
会員管理コンピュータ２０は、検索結果として得られた台情報を台情報公開端末３０に送信し（ステップ２０９）、台情報公開端末３０は、台情報表示画面を表示部に表示する（ステップ２１０）。この際、少なくとも、遊技履歴一覧で選択された遊技履歴の日を含む複数日分の台情報を簡易表示する(図１１(ａ)参照)。
【００５２】
そして、遊技客が遊技を行った日が選択され（ステップ２１１でＹＥＳ）、遊技履歴に遊技時間を特定可能な時間情報が含まれている（ステップ２１２でＹＥＳ）と、例えば、差玉の推移など、選択された日の任意の台情報を示すグラフを、遊技客が遊技を行っていた区間を太線（図１１(ｂ)参照)や他の区間と異なる色を用いて強調表示した強調グラフを作成し（ステップ２１３）、表示画面にグラフを表示する（ステップ２１４）。
【００５３】
また、遊技客が遊技を行っていない日が選択される（ステップ２１１でＮＯ）と、選択された日の任意の台情報を示すグラフを作成し（ステップ２１５）、表示画面にグラフを表示する（ステップ２１４）。
【００５４】
遊技客が遊技を行った日が選択され（ステップ２１１でＹＥＳ）、遊技履歴に遊技時間を特定可能な時間情報が含まれていない（ステップ２１２でＮＯ）と、選択された日の任意の台情報を示すグラフを作成し（ステップ２１５）、表示画面にグラフを表示する（ステップ２１４）。
【００５５】
なお、本実施の形態では、グラフを用いて差玉の推移を示しているが、このグラフは差玉に限られるものではなく、例えば、時間経過に伴う大当り回数の推移など、他の情報を用いてもよい。
【００５６】
また、遊技履歴や台情報を台情報公開端末の表示部に表示することで、遊技客に遊技情報を提供しているが、例えば、台間玉貸機の表示部など、他の装置で遊技履歴や台情報を表示し、遊技情報を提供するように構成してもよい。
【００５７】
このように本発明では、情報の提供を求める遊技客の簡単な操作により、遊技客自身が遊技を行った遊技台の、その遊技を行った日や遊技を行った日を含む複数の日の情報を容易に提供することができる。
【００５８】
また、遊技客自身の遊技に伴う出玉の推移を強調表示するなど、情報の提供を求める遊技客の遊技の結果を反映させた形態で情報を提供することができる。
【００５９】
さらに、台間玉貸機などのカードＲ／Ｗに会員カードが挿入された際、遊技年月日、遊技台番号、遊技開始時間を挿入された会員カードに書き込み、遊技終了を検知すると、遊技終了を検知した時間を遊技終了時間としてカードＲ／Ｗが会員カードに書き込むように構成してもよい。
【００６０】
この構成では、遊技が終了した際に会員管理コンピュータと通信を行うことなく、台間玉貸機等で遊技履歴を会員カードに記入することが可能であり、会員管理コンピュータへの負荷を軽減すると共に、容易且つ迅速に遊技履歴を会員カードに書き込むことができる。
【図面の簡単な説明】
【００６１】
【図１】本発明に係る遊技情報提供システムの構成の一例を示す概略ブロック図
【図２】本実施の形態におけるホールコンピュータの構成を示す概略ブロック図
【図３】本実施の形態における会員管理コンピュータの構成を示す概略ブロック図
【図４】本実施の形態における台情報公開端末の構成を示す概略ブロック図
【図５】本実施の形態における台間玉貸機の構成を示す概略ブロック図
【図６】会員カードに記録する遊技履歴の一例を示す図
【図７】本実施の形態において会員カードに遊技履歴を記録する際の流れを示すフローチャート
【図８】本実施の形態において台情報を公開する際の流れを示すフローチャート
【図９】本実施の形態において台情報を公開する際の流れを示すフローチャート
【図１０】台情報公開端末に表示する画面の一例を示す図
【図１１】台情報公開端末に表示する画面の一例を示す図
【符号の説明】
【００６２】
１０…ホールコンピュータ
１１…記憶部
１２…表示部
１３…通信Ｉ／Ｆ
１４…操作部
１５…演算処理部
２０…会員管理コンピュータ
２１…記憶部
２２…表示部
２３…通信Ｉ／Ｆ
２４…操作部
２５…演算処理部
３０…台情報公開端末
３１…記憶部
３２…表示部
３３…通信Ｉ／Ｆ
３４…操作部
３６…プリンタ
３７…制御部
４０…島コンピュータ
５０…ネットワーク中継機
６０…台間玉貸機
６１−１…カード挿入口
６１−２…カードＲ／Ｗ
６２−１…紙幣投入口
６２−２…紙幣認識部
６３−１…硬貨投入口
６３−２…硬貨認識部
６４−１…玉投出口
６４−２…玉投出部
６５…通信Ｉ／Ｆ
６６…表示部
６７…操作部
６８…制御部
７０…遊技台
８０…会員カード
【図１】
2005102958.tif 000003
【図２】
2005102958.tif 000004
【図３】
2005102958.tif 000005
【図４】
2005102958.tif 000006
【図５】
2005102958.tif 000007
【図６】
2005102958.tif 000008
【図７】
2005102958.tif 000009
【図８】
2005102958.tif 000010
【図９】
2005102958.tif 000011
【図１０】
2005102958.tif 000012
【図１１】
2005102958.tif 000013